(57)【要約】【課題】フォーカスレンズ群の自重によりフォーカス筒が固定筒に対して位置ずれすることを防止できる投写レンズを提供すること。【解決手段】投写レンズ１２に、正姿勢用の付勢機構５０Ａと、逆姿勢用の付勢機構５０Ｂとを設ける。付勢機構５０Ａは、板バネ５１Ａと、切替スイッチ５２Ａとを有する。切替スイッチ５２Ａは付勢位置と付勢解除位置との間で操作可能である。切替スイッチ５２Ａが付勢位置に操作されると、切替スイッチ５２Ａの先端部が板バネ５１Ａに当接して、板バネ５１Ａの押圧部がフォーカス筒１４の内周面から離れる。【選択図】図３
2009080438.tif 000002
【特許請求の範囲】
【請求項１】
プロジェクタ本体に固定された固定筒の先端部に、フォーカスレンズ群を内蔵した可動筒が設けられたプロジェクタにおいて、
前記プロジェクタ本体がその底面を下に向けた標準姿勢のときに、前記固定筒に対して前記可動筒をそれぞれ上向き及び下向きに付勢する第１及び第２付勢手段と、
前記第１及び第２付勢手段で前記可動筒を付勢するか否かを個別に選択可能とする付勢方向選択手段と、を備えることを特徴とするプロジェクタ。
【請求項２】
前記第１及び第２付勢手段は、それぞれの根元側が前記固定筒に固定され、それぞれの先端側が前記可動筒を押圧する一対の板バネで構成され、
前記付勢方向選択手段は、前記一対の板バネごとに設けられ付勢位置と付勢解除位置との間で移動可能な一対の操作部材で構成され、前記操作部材を付勢位置から付勢解除位置に移動させることに連動して対応する板バネが変形し、その板バネの先端側を可動筒から退避させることを特徴とする請求項１記載のプロジェクタ。
【請求項３】
前記付勢方向選択手段は、前記プロジェクタ本体が前記標準姿勢であるか前記底面を上に向けた逆姿勢であるかを検出する姿勢検出手段を有し、この姿勢検出手段の検出結果に応じて前記第１及び第２付勢手段のいずれか一方で前記可動筒を付勢することを特徴とする請求項１記載のプロジェクタ。
【請求項４】
前記第１及び第２付勢手段は、前記可動筒を径方向に押圧する一対のコイルバネで構成され、
前記付勢方向選択手段は、前記一対のコイルバネごとに設けられ、付勢位置と付勢解除位置との間で移動可能な一対の変位部材及び前記変位部材を移動させる一対のアクチュエータを有し、前記姿勢検出手段の検出結果に応じて前記アクチュエータが駆動して対応する前記変位部材が付勢解除位置から付勢位置に移動し、対応する前記コイルバネが圧縮状態になることを特徴とする請求項３記載のプロジェクタ。
【発明の詳細な説明】
【技術分野】
【０００１】
本発明は、プロジェクタ本体に固定された固定筒の先端部に、フォーカスレンズ群を内蔵した可動筒が設けられたプロジェクタに関する。
【背景技術】
【０００２】
スクリーンに画像を表示するプロジェクタが知られている。プロジェクタは、画像光を生成する画像生成部と、生成された画像光をスクリーンに投写する投写レンズとを有する。投写レンズは、複数のレンズ群を有しており、これらのレンズ群を光軸方向に移動させることによりピント合わせと変倍とを行っている。
【０００３】
投写レンズとして、スクリーンに最も近い側のレンズ群がフォーカスレンズ群になっている前玉フォーカス調整式のものがよく知られている（例えば、特許文献１参照）。前玉フォーカス調整式の投写レンズは、フォーカスレンズ群が組み込まれたフォーカス筒（可動筒）と、残りのレンズ群が組み込まれた固定筒とを有し、フォーカス筒と固定筒とがヘリコイド結合する構成になっており、フォーカス筒が回転するとフォーカスレンズ群が光軸方向に移動してピント合わせが行われる。
【０００４】
このような前玉フォーカス調整式の投写レンズは、フォーカスレンズ群の重量が大きいことからその自重によりフォーカス筒が固定筒に対して傾いて（以下、これをフォーカス筒の傾きズレと称する）、フォーカスレンズ群と固定筒に組み込まれた残りのレンズ群との光軸がずれて、投写レンズの光学特性が劣化するという問題があった。ここで、プロジェクタは、設置面に載置される正姿勢（標準姿勢）と、この正姿勢とは鉛直方向で逆になって吊り下げられる逆姿勢との２姿勢で使用する構成になっているものが多く、正姿勢におけるフォーカス筒の傾きズレ方向と、逆姿勢におけるフォーカス筒の傾きズレ方向とは互いに逆である。
【０００５】
特許文献２記載のレンズ鏡筒は、固定筒とフォーカス筒（カム筒）とを有し、フォーカス筒の外周面において対向する２ヶ所に板バネを設け、この２つの板バネの付勢力によりフォーカス筒を固定筒に対して調心した状態にし、フォーカスレンズの倒れを防止することを試みている。
【特許文献１】特開２００５−３３１７９１号公報
【特許文献２】特開２０００−２６６９８１号公報
【発明の開示】
【発明が解決しようとする課題】
【０００６】
しかしながら、特許文献２記載の技術は、板バネを常に付勢状態にしてフォーカス筒を固定筒に対して調心する構成であり、プロジェクタの姿勢を考慮してフォーカス筒を付勢する構成ではなかった。このため、例えばプロジェクタが正姿勢のときに２つの板バネがフォーカス筒の上下に位置していたとしても、下の板バネはフォーカス筒を上向きに付勢するものの、上の板バネはフォーカス筒を下向きに付勢する構成であり、フォーカス筒の傾きズレを効果的に補正するものにはならない。
【０００７】
本発明は、上記事情を考慮してなされたものであり、プロジェクタの姿勢を考慮しつつ、フォーカス筒（可動筒）の傾きズレを防止できるプロジェクタを提供することを目的とする。
【課題を解決するための手段】
【０００８】
本発明は、プロジェクタ本体に固定された固定筒の先端部に、フォーカスレンズ群を内蔵した可動筒が設けられたプロジェクタに関し、前記プロジェクタ本体がその底面を下に向けた標準姿勢のときに、前記固定筒に対して前記可動筒をそれぞれ上向き及び下向きに付勢する第１及び第２付勢手段と、前記第１及び第２付勢手段で前記可動筒を付勢するか否かを個別に選択可能とする付勢方向選択手段と、を備えることを特徴とする。
【０００９】
前記第１及び第２付勢手段は、それぞれの根元側が前記固定筒に固定され、それぞれの先端側が前記可動筒を押圧する一対の板バネで構成され、前記付勢方向選択手段は、前記一対の板バネごとに設けられ付勢位置と付勢解除位置との間で移動可能な一対の操作部材で構成され、前記操作部材を付勢位置から付勢解除位置に移動させることに連動して対応する板バネが変形し、その板バネの先端側を可動筒から退避させることが好ましい。
【００１０】
前記付勢方向選択手段は、前記プロジェクタ本体が前記標準姿勢であるか前記底面を上に向けた逆姿勢であるかを検出する姿勢検出手段を有し、この姿勢検出手段の検出結果に応じて前記第１及び第２付勢手段のいずれか一方で前記可動筒を付勢する構成であってもよい。前記第１及び第２付勢手段は、前記可動筒を径方向に押圧する一対のコイルバネで構成され、前記付勢方向選択手段は、前記一対のコイルバネごとに設けられ、付勢位置と付勢解除位置との間で移動可能な一対の変位部材及び前記変位部材を移動させる一対のアクチュエータを有し、前記姿勢検出手段の検出結果に応じて前記アクチュエータが駆動して対応する前記変位部材が付勢解除位置から付勢位置に移動し、対応する前記コイルバネが圧縮状態になることが好ましい。
【発明の効果】
【００１１】
本発明のプロジェクタによれば、正姿勢をとるときに第１付勢手段により可動筒を上向きに付勢し、逆姿勢をとるときに第２付勢手段により可動筒を上向きに付勢するので、プロジェクタの姿勢を考慮しつつ可動筒の傾きズレを防止することができる。
【発明を実施するための最良の形態】
【００１２】
［第１実施形態］
図１及び図２に示すように、プロジェクタ１０は、プロジェクタ本体１１と、投写レンズ１２とから構成される。プロジェクタ本体１１には、白色光を発する光源、３原色（赤、緑、青）に対応した透過型液晶素子、及びクロスダイクロイックプリズムなどが内蔵されている。光源からの白色光は３原色光に分離されてから各色に対応した透過型液晶素子にそれぞれ入射されて各色の画像光となり、これらの各色の画像光はクロスダイクロイックプリズムで合成されてから投写レンズ１２に入射される。投写レンズ１２は入射した合成画像光をスクリーンに拡大投映する。
【００１３】
プロジェクタ本体１１の底面１１ａには脚部５と取付部６とが設けられている。プロジェクタ１０を設置面７に載置して使用するときには、脚部５と底面１１ａの後端部とを設置面７に接触させて、投写レンズ１２をやや上向きにする（図１参照）。また、プロジェクタ１０を天井８に吊り下げて使用するときには、底面１１ａを上に向けた状態で、天井８に設置された吊り下げ装置９に取付部６を取り付けて、投写レンズ１２をやや下向きにする。以下では、設置面７に載置したときのプロジェクタ１０の姿勢を正姿勢（標準姿勢）と称し、天井８に吊り下げたときのプロジェクタ１０の姿勢を逆姿勢と称する。プロジェクタ１０は、正姿勢と逆姿勢とでは鉛直方向で互いに逆向きである。
【００１４】
図３に示すように、投写レンズ１２は、前玉フォーカス調整式であり、フォーカスレンズ群（第１レンズ群）１３が組み込まれたフォーカス筒（可動筒）１４と、第２レンズ群１５、第３レンズ群１６、及び第４レンズ群１７が組み込まれた固定筒１８と、カム筒１９と、フォーカス筒１４に固定されたフォーカスリング２０と、カム筒１９に固定されたズームリング２１などを備えている。フォーカスレンズ群１３は、フォーカス筒１４の前部に組み込まれている。
【００１５】
フォーカスリング２０が回転操作されると、フォーカスレンズ群１３が光軸方向に移動してフォーカシングが行われ、ズームリング２１が回転操作されると、第２レンズ群１５及び第３レンズ群１６がそれぞれ光軸方向に移動してズーミングが行われる構成になっている。
【００１６】
フォーカス筒１４及び固定筒１８はヘリコイド結合している。フォーカス筒１４の中央部内周には、ヘリコイド雌ネジ２３が形成されている。固定筒１８の前部外周には、ヘリコイド雌ネジ２３に螺合するヘリコイド雄ネジ２４が形成されている。操作突起２０ａが把持されてフォーカスリング２０が回転操作されると、フォーカス筒１４が固定筒１８に対して回転しながら光軸方向に移動することにより、フォーカスレンズ群１３が光軸方向に移動する。
【００１７】
固定筒１８には光軸２２に沿って直進カム溝２５が形成され、カム筒１９の内周には周方向に回転カム溝２６，２７が形成されている。これらの直進カム溝２５及び回転カム溝２６，２７は、光軸２２を中心にして１２０度の等角度で３個ずつ形成されている。
【００１８】
第２レンズ群１５はレンズ枠２８に保持されている。レンズ枠２８の外周には、直進カム溝２５を介して回転カム溝２６に挿入される３個のカムフォロワ２９が取り付けられている。また、第３レンズ群１６はレンズ枠３０に保持されている。レンズ枠３０の外周には、直進カム溝２５を介して回転カム溝２７に挿入される３個のカムフォロワ３１が取り付けられている。操作突起２１ａが把持されてズームリング２１が回転操作されると、カム筒１９が回転し、回転カム溝２６がカムフォロワ２９を押すとともに回転カム溝２７がカムフォロワ３１を押す。各カムフォロワ２９，３１は直進カム溝２５により回転止めされており、カムフォロワ２９及びレンズ枠２８と共に第２レンズ群１５が光軸方向に移動し、カムフォロワ３１及びレンズ枠３０と共に第３レンズ群１６が光軸方向に移動する。
【００１９】
第４レンズ群１７はレンズ枠３２に保持されており、レンズ枠３２は固定筒１８の内周に固定されている。
【００２０】
投写レンズ１２には、フォーカスレンズ群１３の自重によって生じる、フォーカス筒１４の固定筒１８に対する傾き（以下、フォーカス筒１４の傾きズレと称する）を補正するための付勢機構５０Ａ，５０Ｂが設けられている。付勢機構５０Ａ，５０Ｂは、ヘリコイド雄ネジ２４よりも後方に位置するとともに互いに径方向で対向するようにして固定筒１８の外周面に設けられている。付勢機構５０Ａ，５０Ｂは、フォーカス筒１４の内周面後部を径方向の外向きに押すことによりヘリコイド結合部分を中心にしてフォーカス筒１４をわずかに回転させフォーカス筒１４の前部を適正位置（上向き）に付勢するものであり、付勢機構５０Ａはプロジェクタ１０の正姿勢時に機能し、付勢機構５０Ｂはプロジェクタ１０の逆姿勢時に機能する。
【００２１】
図４に示すように、付勢機構５０Ａは、フォーカス筒１４の内周面１４ａを径方向の外向き（下向き）に押圧する板バネ５１Ａと、この板バネ５１Ａを付勢状態と解除状態との間で切り替える切替スイッチ（操作部材）５２Ａとを有する。
【００２２】
板バネ５１Ａは、フォーカス筒１４の内周面１４ａと固定筒１８の外周面１８ａとの間に形成された空間５３に配置されている。板バネ５１Ａは、光軸方向に延ばされており、基端側（根元側）が外周面１８ａに固定されており、先端側が内周面１４ａを径方向の外に押す押圧部５４になっている。押圧部５４は内周面１４ａの側に凸になるように丸みを帯びた形状になっており通常状態で内周面１４ａを押す。
【００２３】
切替スイッチ５２Ａは、指で把持操作される摘み部５５と、この摘み部５５から径方向に延びる軸部５６と、ストッパ５７とから構成される。切替スイッチ５２Ａは、固定筒１８に固定された断面Ｌ字状の保持板５８にスライド自在に保持されている。保持板５８には、切替スイッチ５２Ａの軸部５６を挿通させて、切替スイッチ５２Ａを光軸方向にガイドするためのガイドスリット５９が形成されている。ガイドスリット５９は板バネ５１Ａの下方で板バネ５１Ａに沿って延びている。ストッパ５７は軸部５６に固定されて、軸部５６がガイドスリット５９から抜けることを防止する。
【００２４】
フォーカス筒１４には、切替スイッチ５２Ａの軸部５６の先端部を板バネ５１Ａに当接可能にするためのスリット６０が形成されている。このスリット６０は板バネ５１Ａの下方で板バネ５１Ａに沿って延びている。
【００２５】
切替スイッチ５２Ａは、ガイドスリット５９の後端部に位置する付勢位置と、ガイドスリット５９の前端部に位置する付勢解除位置との間で操作される。切替スイッチ５２Ａが付勢位置にあるときには、軸部５６の先端部は板バネ５１Ａに当接せず、板バネ５１Ａは押圧部５４が内周面１４ａを押圧する付勢状態になる。一方、切替スイッチ５２Ａが付勢解除位置にあるときには、軸部５６の先端部が板バネ５１Ａに当接し、板バネ５１Ａは押圧部５４が内周面１４ａを押圧しない付勢解除状態になる。切替スイッチ５２Ａはガイドスリット５９の後端部及び前端部でクリックストップする構成になっている。
【００２６】
付勢機構５０Ｂは、付勢機構５０Ａと同じ構成であり、板バネ５１Ａに対応する板バネ５１Ｂと、切替スイッチ５２Ａに対応する切替スイッチ５２Ｂとを有する。
【００２７】
上記構成のプロジェクタ１０の作用について説明する。プロジェクタ１０を正姿勢（図１参照）で使用するときには、切替スイッチ５２Ａを付勢位置に操作するとともに、切替スイッチ５２Ｂを付勢解除位置に操作する。板バネ５１Ａは付勢状態になり、板バネ５１Ｂは付勢解除状態になる。板バネ５１Ａが付勢状態になってフォーカス筒１４の内周面後部を下向きに押すことにより、ヘリコイド結合部分を中心にしてフォーカス筒１４の前部が上向きに付勢される。これによりフォーカス筒１４の傾きズレが補正され、正姿勢時における投写レンズ１２の光学特性劣化が防止できる。
【００２８】
一方、プロジェクタ１０を逆姿勢（図２参照）で使用するときには、切替スイッチ５２Ａを付勢解除位置に操作するとともに、切替スイッチ５２Ｂを付勢位置に操作する。板バネ５１Ａは付勢解除状態になり、板バネ５１Ｂは付勢状態になる。板バネ５１Ｂが付勢状態になってフォーカス筒１４の内周面後部を下向きに押すことにより、ヘリコイド結合部分を中心にしてフォーカス筒１４が上向きに付勢される。これによりフォーカス筒１４の傾きズレが補正され、逆姿勢時における投写レンズ１２の光学特性劣化が防止できる。
【００２９】
なお、上記第１実施形態では、切替スイッチ５０Ａ，５０Ｂを手動で操作する構成であったが、例えばプロジェクタ１０の姿勢を検出する姿勢検出手段を設け、この姿勢検出手段の検出結果に基づいて切替スイッチ５０Ａ，５０Ｂが自動で移動する構成にしてもよい。
【００３０】
上記第１実施形態では、付勢機構５０Ａ，５０Ｂはヘリコイド結合部分よりも後方に配置し、フォーカス筒１４の内周面後部を下向きに押すことによりヘリコイド結合部分を中心にわずかに回転させてフォーカス筒１４の前部を上向きに付勢する構成であったが、各付勢機構をヘリコイド結合部分よりも前方に配置し、フォーカス筒１４の内周面前部を直接に上向きに付勢する構成にしてもよい。
【００３１】
［第２実施形態］
上記第１実施形態では、板バネ５１Ａ，５１Ｂを付勢状態と付勢解除状態との間で切り替える切替手段は手動であったが、これを自動にしてもよい。以下に切替手段を自動にした実施形態を示す。なお、第２実施形態での説明では、第１実施形態と同様の構成要素に関しては同じ符号を付し、その説明を省略する。
【００３２】
図５に示すように、第２実施形態では、第１実施形態の付勢機構５０Ａの替わりに付勢機構７０Ａが設けられ、付勢機構５０Ｂの替わりに付勢機構７０Ｂが設けられている。フォーカス筒１４の外側にはフォーカス筒１４を覆うようにして外装筒６９が設けられており、外装筒６９の後端部は固定筒１８に固定されている。付勢機構７０Ａ，７０Ｂは、フォーカス筒１４と外装筒６９との間に設けられている。付勢機構７０Ａはフォーカス筒１４の下方に設けられ、付勢機構７０Ｂはフォーカス筒１４の上方に設けられている。付勢機構７０Ａ，７０Ｂはフォーカス筒１４の径方向で対向するように配置されている。
【００３３】
図６に示すように、付勢機構７０Ａは、コイルバネ７１Ａと、このコイルバネ７１Ａを付勢状態（圧縮状態）と解除状態（非圧縮状態）との間で切り替える移動体（変位部材）７２Ａ及びソレノイド（アクチュエータ）７３Ａとを有する。コイルバネ７１Ａは伸縮方向がフォーカス筒１４の径方向になるようにしてフォーカス筒１４の外周面１４ｂに配置されている。
【００３４】
ソレノイド７３Ａは、外装筒６９の内周面に形成された凹部７４内に固定されている。ソレノイド７３Ａの可動鉄心７５はフォーカス筒１４の径方向に延びている。可動鉄心７５の先端部には移動体（変位部材）７２Ａが固定されており、この移動体７２Ａは凹部７４の壁面にガイドされてフォーカス筒１４の径方向に移動自在である。コイルバネ７１Ａの一端は外周面１４ｂに接触し、他端は移動体７２Ａに接触している。
【００３５】
ソレノイド７３Ａがオン状態になると、可動鉄心７５が突出し、移動体７２Ａが実線で示す付勢位置に移動して、コイルバネ７１Ａが付勢状態（圧縮状態）になる。一方、ソレノイド７３Ａがオフ状態になると、可動鉄心７５が引っ込み、移動体７２Ａが二点鎖線で示す付勢解除位置に移動して、コイルバネ７１Ａが付勢解除状態（非圧縮状態）になる。なお、図６においては、煩雑になることを防ぐため、付勢解除状態になっているときのコイルバネ７１Ａの図示は省略している。
【００３６】
図５に戻って、付勢機構７０Ｂは、付勢機構７０Ａと同様の構成であり、コイルバネ７１Ａに対応するコイルバネ７１Ｂと、移動体７２Ａに対応する移動体７２Ｂと、ソレノイド７３Ａに対応するソレノイド７３Ｂを有する。
【００３７】
投写レンズ１２には、プロジェクタ１０（投写レンズ１２）が正姿勢及び逆姿勢のいずれの姿勢になっているかを検出する姿勢センサ（姿勢検出手段）７６が設けられている。姿勢センサ７６には、例えばジャイロセンサを用いる。なお、姿勢センサ７６はプロジェクタ本体１１の側に設けてもよい。また、プロジェクタ１０の姿勢検出手段としては、姿勢を直接的に検出するセンサ以外にも、例えばプロジェクタ本体の脚部の裏に設けた機械的な接触センサを用いて、接触センサが接触を検知したときに正姿勢を検出し、接触センサが非接触を検知したときに逆姿勢を検出するような構成であってもよい。投写レンズ１２の各部への電力は、投写レンズ１２の内部に配置したバッテリから供給してもよいし、プロジェクタ本体１１の側から供給してもよい。
【００３８】
姿勢センサ７６は制御部７７に接続されている。制御部７７は、姿勢センサ７６からの信号に基づいてソレノイド７３Ａ及びソレノイド７３Ｂの駆動を制御する。制御部７７は、姿勢センサ７６が正姿勢を検出した場合には、ソレノイド７３Ａをオン状態にするとともにソレノイド７３Ｂをオフ状態にし、一方、姿勢センサ７６が逆姿勢を検出した場合には、ソレノイド７３Ａをオフ状態にするとともにソレノイド７３Ｂをオン状態にする。
【００３９】
上記構成のプロジェクタの作用について説明する。プロジェクタ１０の電源をオンすると、姿勢センサ７６が正姿勢及び逆姿勢のいずれかを検出する。姿勢センサ７６が正姿勢を検出したときには、ソレノイド７３Ａがオン状態になってコイルバネ７１Ａが付勢状態になる。コイルバネ７１Ｂは付勢解除状態を維持する。フォーカス筒１４が外装筒６９に対して（外装筒６９は固定筒１８に固定されていることから固定筒１８に対してと言い換えることもできる）鉛直上向きの力を受けることから、フォーカスレンズ群１３の自重によるフォーカス筒１４の位置ずれが補正される。これにより、正姿勢時における投写レンズ１２の光学特性劣化が防止できる。
【００４０】
一方、姿勢センサ７６が逆姿勢を検出したときには、ソレノイド７３Ｂがオン状態になってコイルバネ７１Ｂが付勢状態になる。コイルバネ７１Ａは付勢解除状態を維持する。フォーカス筒１４が外装筒６９に対して鉛直上向きの力を受けることから、フォーカスレンズ群１３の自重によるフォーカス筒１４の位置ずれが補正される。これにより、逆姿勢時における投写レンズ１２の光学特性劣化が防止できる。
【００４１】
なお、上記第２実施形態では、移動体７２Ａ，７２Ｂがソレノイド７３Ａ，７３Ｂにより駆動される構成であったが、移動体７２Ａ，７２Ｂが手動で切替操作される構成にしてもよい。
【００４２】
上記第２実施形態では、ソレノイド７３Ａ，７３Ｂを外装筒６９に設けたが、投写レンズ１２をプロジェクタ本体１１に押し込むような設計にし、ソレノイド７３Ａ，７３Ｂをプロジェクタ本体１１に設けてもよい。
【００４３】
本発明では、フォーカスレンズ群１３の自重によるフォーカス筒１４の傾きズレを補正できるので、投写レンズ１２の製造時において、フォーカス筒１４及び固定筒１８を金型成形するときに、従来ほど成形精度が要求されないことから金型の修正を繰り返す必要がなくなり、製造コストを抑え製造期間を短くすることができる。
【００４４】
なお、上記第１及び第２実施形態では３板式のプロジェクタを用いて説明したが、１板式のプロジェクタや２板式のプロジェクタなど、他の駆動方式のプロジェクタに本発明を適用してもよい。また、上記実施形態では、表示パネルとして透過型液晶素子を用いたが、反射型液晶素子やＤＭＤ（デジタルマイクロミラーデバイス）など、他の表示パネルを用いてもよい。
【図面の簡単な説明】
【００４５】
【図１】正姿勢のプロジェクタを示す側面図である。
【図２】逆姿勢のプロジェクタを示す側面図である。
【図３】投写レンズの断面図である。
【図４】板バネの周辺構成を示す断面図である。
【図５】付勢動作を自動で行う別実施形態の投写レンズを示す図である。
【図６】コイルバネの周辺構成を示す断面図である。
【符号の説明】
【００４６】
１０  プロジェクタ
１２  投写レンズ
１３  フォーカスレンズ群
１４  フォーカス筒
１８  固定筒
５０Ａ，５０Ｂ  付勢機構
５１Ａ，５１Ｂ  板バネ
５２Ａ，５２Ｂ  切替スイッチ
７０Ａ，７０Ｂ  付勢機構
７１Ａ，７１Ｂ  コイルバネ
７２Ａ，７２Ｂ  移動体
７３Ａ，７３Ｂ  ソレノイド
７６  姿勢センサ
７７  制御部
【図１】
2009080438.tif 000003
【図２】
2009080438.tif 000004
【図３】
2009080438.tif 000005
【図４】
2009080438.tif 000006
【図５】
2009080438.tif 000007
【図６】
2009080438.tif 000008